(57)【要約】【課題】移動光学系を効率よく冷却する。【解決手段】移動光学系１０５にその移動方向に対して垂直に風を当てる送風手段２を装置本体に設け、かつ移動光学系上にある部品６が冷却ダクトを兼ねている。【選択図】　　　　図２
2004104413.tif 000002
【特許請求の範囲】
【請求項１】
原稿を載せる原稿台と、原稿を照明する照明手段を備えた移動光学系と、原稿台上の原稿を搬送する原稿搬送手段と、照明手段の発熱を冷却する冷却装置と、を備え、移動光学系を固定し原稿搬送手段により原稿台上の原稿を移動光学系に対して移動させて原稿を走査する原稿移動モードと、原稿台上の原稿を固定し、移動光学系を移動させて原稿を走査する光学系移動モードと、を有する原稿走査装置において、
前記移動光学系にその移動方向に対して垂直に風を当てる送風手段が装置本体に取り付けられており、かつ前記移動光学系上にある部品が冷却ダクトを兼ねていることを特徴とする原稿走査装置。
【請求項２】
前記移動光学系上に冷却ダクトを設け、その中に温度ヒューズをつけたことを特徴とする請求項１の原稿走査装置。
【請求項３】
前記移動光学系上の冷却ダクト中にあるランプ保持電極部材に流線系のキャップをつけたことを特徴とする請求項１の原稿走査装置。
【発明の詳細な説明】
【０００１】
【発明の属する技術分野】
本発明は複写機等の原稿読み取り部等に用いられる原稿走査装置に関するものである。
【０００２】
【従来の技術】
従来、照明手段を備えた移動光学系は▲１▼特開平５−１５０３７９号公報に記載されているように移動光学系の移動方向に対して平行に冷却のための風路を設けており、風のあたる面に切り起こし部を形成しそこから発光体周辺に風を呼び込んいた。また、▲２▼特開昭６０−１４８３８８号公報では、帯状の熱線吸収透明体を有しており、同じく移動光学系のスキャン方向に対して平行に冷却風路がある。
【０００３】
【発明が解決しようとする課題】
しかしながら▲１▼の場合は、照明手段が長尺な為、局所的に冷却される個所と冷却されにくい個所がある等して、冷却ムラを起こし、照明手段の熱変形を招くおそれがある。また、▲２▼の場合は熱線吸収透明体（以下断熱材）に風が正面から当たるので、風に含まれるゴミ等が断熱材に衝突し、キズ、又は固着しやすい。
そこで本発明は以上のような問題を解決するために移動光学系の移動方向に対して垂直に風を送る送風手段を装置本体に設け、更に移動光学系に設けられた照明手段に送風手段からの風が効率的に作用するような冷却ダクトを移動光学系に備えることで、限られたスペース内でより効率よく照明手段の発光体周辺部の冷却作用を行うことを目的としている。
【０００４】
【課題を解決するための手段】
上記目的を達成するために、本発明は、原稿を載せる原稿台と、原稿を照明する照明手段を備えた移動光学系と、原稿台上の原稿を搬送する原稿搬送手段と、照明手段の発熱を冷却する冷却装置と、を備え、移動光学系を固定し原稿搬送手段により原稿台上の原稿を移動光学系に対して移動させて原稿を走査する原稿移動モードと、原稿台上の原稿を固定し、移動光学系を移動させて原稿を走査する光学系移動モードと、を有する原稿走査装置において、前記移動光学系にその移動方向に対して垂直に風を当てる送風手段が装置本体に取り付けられており、かつ前記移動光学系上にある部品が冷却ダクトを兼ねていることを特徴とする。
【０００５】
このような構成により、移動光学系の移動方向に対して垂直な方向から風を流すことによって、発光体周辺を一様に冷却できる。
【０００６】
このような風路によって、移動光学系上の断熱材にゴミによるキズ・固着を防ぐ。
【０００７】
移動光学系上に冷却ダクトを設けることにより、照明手段により発生した熱が効率的に冷却される。
【０００８】
移動光学系上に冷却ダクトを設けることにより、確実に風を光学系内に呼び込むことができる。という作用がある。
【０００９】
【発明の実施の形態】
（第１の実施の形態）
図１は本発明を適用した原稿走査装置の断面図である。１００は原稿走査装置本体で、原稿走査装置本体１００の上面には原稿台ガラス１０３を設けてある一方、その内部には読取部１０４を設けてある。読取部１０４は、装置本体１００内を所定方向、即ち、原稿台ガラス１０３と平行なＡ方向に移動自在なランプ走査ユニット１０５とミラー走査ユニット１０６、及び機枠１０７に固定したイメージセンサ１０８等により構成してある。ランプ走査ユニットとミラー走査ユニットが移動光学系に相当する。ランプ走査ユニット１０５には原稿を照明するハロゲンランプ３が搭載されている。
【００１０】
一方、装置本体１００の上面には、原稿を原稿台ガラス１０３上に給送する原稿搬送手段、即ち、原稿自動給送装置１１０を取り付けてある。この原稿自動給送装置１１０は、ブラケット１１１、ヒンジ１１２を介して開閉自在となっている。また、原稿自動給送装置１１０は、原稿積載トレイ１１３、給送ローラ１１４、搬送ローラ１１５、搬送ガイド１１６等を有する。
【００１１】
本実施の形態の原稿走査装置は、原稿移動モードと光学系移動モードと称する二つの原稿走査モードを有する。
【００１２】
原稿移動モードは、ランプ走査ユニット１０５に搭載されているミラーが図１中のＲの位置にくるようにランプ走査ユニット１０５及びミラー走査ユニット１０６を停止させ、この走査ユニット停止状態で原稿自動給送装置１１０から搬送されてくる原稿を次々に光学的に走査するモードである。
【００１３】
光学系移動モードは、走査ユニットを矢印Ａ方向に移動させながら原稿台ガラス１０３上に固定されている原稿を走査するモードである。
【００１４】
いずれのモードの場合も原稿照明ランプにより照明された原稿からの反射光が各走査ユニットに搭載されているミラーを介してイメージセンサ１０８に結像し、原稿像が読み取られる。
【００１５】
図２は原稿走査装置のハロゲンランプ長手方向一端部付近を装置の上方から見たときの透視図である。
【００１６】
装置本体の前側板１７には、光学系の昇温部分を冷却するための冷却ファン２が取り付けられている。
【００１７】
４は原稿を照明するハロゲンランプ、５はその両端を保持する電極（一端のみ図示）、６はその電極を保護するための電極ブロック、９は前記ランプを囲むように形成され、前記ランプからの光束を原稿面を照明するように反射する反射笠、１０は前記反射笠の両端にある反射効率を上げるための補助反射笠、１４は熱線を吸収する断熱材、１はこれらを保持するランプ走査ユニットのフレームである。
【００１８】
この移動光学系は光学系移動モードの場合、光学レール１５の上を滑りながら移動する。また、原稿移動モードの場合は図１に示す位置Ｒに移動光学系のランプ走査ユニット１０５は停止しており、冷却ファン２はランプ走査ユニット１０５が位置Ｒに停止しているときに効率よく風を与えられるように位置Ｒに対応する前側板１７の位置に取り付けられている。移動光学系の移動は、モータ（図示せず）の駆動とワイヤ１６によって行われる。
【００１９】
また、図３に示されるように電極ブロック６には風の通る開口部８が設けられており、その上部にはひさし７が設けられている。ひさし７があることによって、冷却ファンからの風３を集中的に呼び込むことができると共に、電極ブロック６が冷却ダクトを兼ねているので、部品点数も減り、少スペース化にもなる。
【００２０】
（第２の実施の形態）
次に本発明の第２の実施の形態を図４、図５に示す。なお、第１の実施の形態に使用した部材と同機能のものには同じ符号を付している。
【００２１】
１１は温度ヒューズ、１２は冷却ダクトである。
【００２２】
本実施の形態では、図４のように冷却ダクト１２によって作られた風入口に温度ヒューズ９を設ける。冷却装置２が異常停止した際、ランプによる発熱でランプ走査ユニットは急激な温度上昇を起こす。この昇温により光学系やその周辺部の熱変形等のおそれがある。
【００２３】
そこで本実施の形態では、冷却ダクト１２の位置に温度ヒューズ１１を設けることで、冷却装置２が急に異常停止した際にこの温度ヒューズ１１がすばやく断線し、これによりランプへの給電が停止して発光を停止させることにより、光学系温度上昇による危険性を回避できる。
【００２４】
（第３の実施の形態）
次に本発明の第３の実施の形態を図６に示す。
【００２５】
１３は流線形電極キャップである。
【００２６】
本実施の形態では、図６に示したように、電極ブロックの機能を備えた、冷却ダクト１２中にある電極５の冷却装置２に面した方向に流線形のキャップ１３を設けている。冷却ファンからの風が冷却ダクト入口で乱れるとランプへ流れる風量も少なくなり冷却効果が著しく低下する。そこで本実施の形態では冷却ダクト１２中にある電極５に流線形キャップ１３を取り付け、冷却ファンからの風の抵抗を少なくしている。
【００２７】
【発明の効果】
以上説明したように本発明によれば、光学部材を冷却ダクトと兼ねることにより、部品点数も減り、スペースもとらないですむ。
【００２８】
温度ヒューズをダクト内につけることにより、冷却装置の異常停止によって引き起こされる熱変形や破損を回避できる。
【００２９】
風の抵抗となりうるものに流線形キャップをつけることにより風の流れがよくなり、冷却の効率を上げることができる。という効果がある。
【図面の簡単な説明】
【図１】本発明の原稿走査装置の断面図。
【図２】第１の実施の形態の原稿走査装置のハロゲンランプ長手方向一端部付近を装置の上方から見たときの透視図。
【図３】第１の実施の形態の電極ブロックの斜視図。
【図４】第２の実施の形態のランプ走査ユニットの一部切欠き上視図。
【図５】図４の正面図。
【図６】第３の実施の形態のランプ走査ユニットの一部切欠き上視図。
【符号の説明】
１　移動光学系のフレーム
２　冷却装置
３　冷却風
４　ハロゲンランプ
５　電極
６　電極ブロック
７　電極ブロックのひさし
８　電極ブロックの開口部
１１　温度ヒューズ
１２　冷却ダクト
１３　流線形のキャップ
【図１】
2004104413.tif 000003
【図２】
2004104413.tif 000004
【図３】
2004104413.tif 000005
【図４】
2004104413.tif 000006
【図５】
2004104413.tif 000007
【図６】
2004104413.tif 000008